(57)【要約】【課題】安全かつ衛生的で、気圧供給源から安定的に供給する定量霧化加圧装置を提供する。【解決手段】定量霧化加圧装置は、導入装置のハウジング１０内に設置される。ハウジング１０の一端には、着脱可能前蓋が設けられる。ハウジング１０の着脱可能前蓋に近い上部には、液体容器１２が結合される。ハウジング１０の他端には、外部の気圧供給源が接続される吸気口１３と、外部の電力供給源が接続される接続線１４とが設けられる。ハウジング１０内には、輸送加圧管２、固定座３、気体貯蔵チャンバ４及び回路制御ユニット５が設けられる。輸送加圧管２は、上部に固定座３が一体結合されるとともに、一端に気体貯蔵チャンバ４が接続される。気体貯蔵チャンバ４は、周面に回路制御ユニット５が配設されるとともに、一端に吸気口１３が接続される。回路制御ユニット５には、接続線１４が電気的に接続される。【選択図】図３
0003208232.tif 000002
【実用新案登録請求の範囲】
【請求項１】
導入装置のハウジング内に設置される定量霧化加圧装置であって、
前記ハウジングの一端には、着脱可能前蓋が設けられ、
前記ハウジングの前記着脱可能前蓋に近い上部には、液体容器が結合され、
前記ハウジングの他端には、外部の気圧供給源が接続される吸気口と、外部の電力供給源が接続される接続線と、が設けられ、
前記ハウジング内には、輸送加圧管、固定座、気体貯蔵チャンバ及び回路制御ユニットが設けられ、
前記輸送加圧管は、上部に前記固定座が一体結合されるとともに、一端に前記気体貯蔵チャンバが接続され、
前記気体貯蔵チャンバは、周面に前記回路制御ユニットが配設されるとともに、一端に前記吸気口が接続され、
前記回路制御ユニットには、前記接続線が電気的に接続されることを特徴とする定量霧化加圧装置。
【請求項２】
前記輸送加圧管の周面上には、ベース及び係合部材が設けられ、
前記ベースは、微孔が全体に設けられた振動片を内側に有するとともに、前記輸送加圧管の内部と連通する原料投入口が内面中央部に形成され、
前記係合部材には、導通回路基板が内嵌され、前記振動片と前記導通回路基板とが電気的に接続されることを特徴とする請求項１に記載の定量霧化加圧装置。
【請求項３】
前記固定座は、前記輸送加圧管の周面のベース上に結合固定されるとともに、前記液体容器を速やかに結合又は分離する、ロック・アンロック可能な１組の可動フック及び位置決め部を有することを特徴とする請求項２に記載の定量霧化加圧装置。
【請求項４】
前記回路制御ユニットは、前記導通回路基板と接触又は分離させるばねコネクタを有することを特徴とする請求項２に記載の定量霧化加圧装置。
【請求項５】
前記回路制御ユニットは、電磁弁スイッチ及び制御弁を有し、
前記制御弁は、前記輸送加圧管と前記気体貯蔵チャンバとの間に位置するとともに、前記電磁弁スイッチにより制御され、前記気体貯蔵チャンバ内の気体放出を制御し、噴出される気体体積を前記回路制御ユニットにより調整することを特徴とする請求項１に記載の定量霧化加圧装置。
【請求項６】
前記吸気口に接続する外部気圧供給源は、移動式及び固定式の２種類を含むことを特徴とする請求項１に記載の定量霧化加圧装置。
【請求項７】
前記移動式の外部気圧供給源は、腕ベルト、気体案内ボトル固定座、外付け気体供給源制御装置、空気貯蔵ボトル及び圧力調整弁を有し、
前記圧力調整弁は、排気口を有し、前記排気口には、前記導入装置の一端の吸気口まで延びる管路が接続されていることを特徴とする請求項６に記載の定量霧化加圧装置。
【考案の詳細な説明】
【技術分野】
【０００１】
本考案は、液体を定量で霧化分子に変換する液体導入装置に関し、特に、着脱自在で、容易に部品を取り外して交換したり薬瓶を交換したりすることができ、安全かつ衛生的で、気圧供給源から安定的に供給する定量霧化加圧装置に関する。
【背景技術】
【０００２】
美容分野、医学分野で従来から使われている注射の種類には様々な物があったが、針無真皮層薬物伝送システムは少数に属し、従来広く使用されている液体注射器は、薬物を装填して高圧気体が連通するチャンバ又はハウジングを有する槍状本体を備えた物が大部分であり、高圧原理を利用し、注射器を患者の皮膚に押し付けてトリガーを引くと、薬液が噴出口からコラム状で噴出し、皮膚に薬液が注入されるため、皮膚が傷ついたり痛くなったりする上、薬物の交換には、全面的に行わなければならない滅菌・消毒の手間が多かった。他の方式としては圧力により薬物を霧化して噴出させる方式があるが、これは真皮層への注入に十分な速度と正確な定量とを満たしていなかった。
【０００３】
出願人は、以前から針無注射器の利便性及び実用性に将来性があると考え、専用の薬物輸送装置を開発してきたが、このような薬物輸送装置には、依然として改良の余地があった。上述の薬物輸送装置は、液体霧化顆粒を発生させる振動片を有する。しかし、振動片の構造は依然として完全ではなく、例えば、孔径が大きすぎる場合、霧化効果は理想的でなく、液体入力量の粒形、体積及び入力する気体圧力が十分正確でないなどの問題点があり、皮膚から吸収される効果は理想的でなかった。
【０００４】
また、薬物輸送装置は、全体の構造が着脱可能なため、部品が多すぎて複雑なため、作業に慣れていない者は、自ら分解して清掃したりメンテナンスしたりすることができなかった。特に、管内を完全に洗浄することは非常に困難であった。
【０００５】
また、一般の液体霧化装置に薬物を充填したり、薬瓶を取り付けたり交換したりすることは不便で、時間が多くかかって面倒であった。また、前回使用した薬物の薬液が管内に残留し易いため、洗浄が不適切であったり、他の薬物に交換して使用する際に、患者の治療が安全でなくなるリスクが発生し易かった。
【０００６】
上述した問題点を改善するために、本考案者は、継続的に試験・改良を行い、便利で安全な上、実用的な定量霧化加圧装置を開発した。
【考案の概要】
【考案が解決しようとする課題】
【０００７】
本考案の第１の目的は、薬容器と霧化装置とを組み合わせ、速やかに交換することができるとともに、異なる薬物が同一の輸送経路を使用することにより交差汚染が発生することを防ぎ、安全で衛生的な定量霧化加圧装置を提供することにある。
本考案の第２の目的は、霧化装置上に接触電源構造を設けることにより、連結線路を簡素化し、霧化装置の交換時間を短縮することができる定量霧化加圧装置を提供することにある。
本考案の第３の目的は、空気貯蔵チャンバを増設し、電磁弁スイッチにより制御し、気体入力供給源の気体を空気貯蔵チャンバに予め貯蔵しておき、安定的に加圧された気体圧力を出力し、気体が管道で送られる際に生じる遅延と気圧の損失とを減らすことができる定量霧化加圧装置を提供することにある。
【課題を解決するための手段】
【０００８】
上記課題を解決するために、本考案の第１の形態によれば、導入装置のハウジング内に設置される定量霧化加圧装置であって、前記ハウジングの一端には、着脱可能前蓋が設けられ、前記ハウジングの前記着脱可能前蓋に近い上部には、液体容器が結合され、前記ハウジングの他端には、外部の気圧供給源が接続される吸気口と、外部の電力供給源が接続される接続線と、が設けられ、前記ハウジング内には、輸送加圧管、固定座、気体貯蔵チャンバ及び回路制御ユニットが設けられ、前記輸送加圧管は、上部に前記固定座が一体結合されるとともに、一端に前記気体貯蔵チャンバが接続され、前記気体貯蔵チャンバは、周面に前記回路制御ユニットが配設されるとともに、一端に前記吸気口が接続され、前記回路制御ユニットには、前記接続線が電気的に接続されることを特徴とする定量霧化加圧装置が提供される。
【０００９】
前記輸送加圧管の周面上には、ベース及び係合部材が設けられ、前記ベースは、微孔が全体に設けられた振動片を内側に有するとともに、前記輸送加圧管の内部と連通する原料投入口が内面中央部に形成され、前記係合部材には、導通回路基板が内嵌され、前記振動片と前記導通回路基板とが電気的に接続されることが好ましい。
【００１０】
前記固定座は、前記輸送加圧管の周面のベース上に結合固定されるとともに、前記液体容器を速やかに結合又は分離する、ロック・アンロック可能な１組の可動フック及び位置決め部を有することが好ましい。
【００１１】
前記回路制御ユニットは、前記導通回路基板と接触又は分離させるばねコネクタを有することが好ましい。
【００１２】
前記回路制御ユニットは、電磁弁スイッチ及び制御弁を有し、前記制御弁は、前記輸送加圧管と前記気体貯蔵チャンバとの間に位置するとともに、前記電磁弁スイッチにより制御され、前記気体貯蔵チャンバ内の気体放出を制御し、噴出される気体体積を前記回路制御ユニットにより調整することが好ましい。
【００１３】
前記吸気口に接続する外部気圧供給源は、移動式及び固定式の２種類を含むことが好ましい。
【００１４】
前記移動式の外部気圧供給源は、腕ベルト、気体案内ボトル固定座、外付け気体供給源制御装置、空気貯蔵ボトル及び圧力調整弁を有し、前記圧力調整弁は、排気口を有し、前記排気口には、前記導入装置の一端の吸気口まで延びる管路が接続されていることが好ましい。
【考案の効果】
【００１５】
本考案の定量霧化加圧装置は、以下（１）〜（３）の効果を有する。
（１）薬容器と霧化装置とを組み合わせ、速やかに交換することができるとともに、異なる薬物が同一の輸送経路を使用することにより交差汚染が発生することを防ぎ、安全で衛生的である。
（２）霧化装置上に接触電源構造を設けることにより、連結線路を簡素化し、霧化装置の交換時間を短縮することができる。
（３）空気貯蔵チャンバを増設し、電磁弁スイッチにより制御し、気体入力供給源の気体を空気貯蔵チャンバに予め貯蔵しておき、安定的に加圧された気体圧力を出力し、気体が管道で送られる際に生じる遅延と気圧の損失とを減らすことができる。
【図面の簡単な説明】
【００１６】
【図１】図１は、本考案の一実施形態に係る定量霧化加圧装置を導入装置に利用したときの状態の説明図である。
【図２】図２は、本考案の一実施形態に係る定量霧化加圧装置の（ハウジングを含む）全体の組立透視図である。
【図３】図３は、本考案の一実施形態に係る定量霧化加圧装置の（ハウジングを含む）全体の分解透視図である。
【図４】図４は、本考案の一実施形態に係る定量霧化加圧装置を示す部分断面図である。
【図５】図５は、本考案の一実施形態に係る定量霧化加圧装置を示す組立斜視図である。
【図６】図６は、本考案の一実施形態に係る定量霧化加圧装置の固定座を示す斜視図である。
【図７】図７は、本考案の一実施形態に係る定量霧化加圧装置の固定座を示す斜視図である。
【図８】図８は、本考案の一実施形態に係る定量霧化加圧装置に結合して利用する移動式アタッチメントを示す斜視図である。
【考案を実施するための形態】
【００１７】
以下、本考案の実施形態について図に基づいて説明する。なお、これによって本考案が限定されるものではない。
【００１８】
図１を参照する。図１は、本考案の一実施形態に係る定量霧化加圧装置を導入装置に利用したときの状態の説明図である。図１に示すように、本考案の一実施形態に係る定量霧化加圧装置は、ハウジング１０内に内蔵されて導入装置１を構成し、医学分野、美容分野などで使用される。
【００１９】
導入装置１のハウジング１０の一端には、着脱可能前蓋１１が配設される。着脱可能前蓋１１は、霧化液体を出力する中空円孔が形成され、取り外すと容易に内部の部品を交換したり検視したりすることができる。ハウジング１０の着脱可能前蓋１１に近い上部には、薬液を受ける液体容器１２が結合されている。ハウジング１０の他端には、外部の気圧供給源が接続される吸気口１３と、外部の電力供給源が接続される接続線１４と、が設けられる。
【００２０】
図２及び図３を参照する。図２は、本考案の一実施形態に係る定量霧化加圧装置の（ハウジングを含む）全体の組立透視図である。図３は、本考案の一実施形態に係る定量霧化加圧装置の（ハウジングを含む）全体の分解透視図である。図２に示すように、ハウジング１０内には、輸送加圧管２、固定座３、気体貯蔵チャンバ４及び回路制御ユニット５が設けられる。輸送加圧管２の上部は、固定座３と一体結合され、固定座３は液体容器１２に結合される。輸送加圧管２の一端は気体貯蔵チャンバ４に接続される。気体貯蔵チャンバ４は、周面に回路制御ユニット５が配設され、一端に吸気口１３が接続される。回路制御ユニット５には、接続線１４が電気的に接続される。
【００２１】
図４及び図５を併せて参照する。図４及び図５に示すように、輸送加圧管２は、ベンチュリ効果を発生させ、一端に気体入力口２１を有し、他端に薬液出力口２２を有するとともに、周面上にベース２３及び係合部材２４が設けられる。ベース２３は、微孔が全体に設けられた振動片２３１が内側に配設され、輸送加圧管２の内部と連通する原料投入口２３２が内面中央部に形成されている。係合部材２４には、導通回路基板２４１が内嵌されている。振動片２３１と導通回路基板２４１とは電気的に接続されている。
【００２２】
振動片２３１の表面に形成された微孔の孔径は２５μｍ以下であり、孔数が８００以下であるため、超音波の振動作用により所望の液体霧化粒形を形成し、人体の皮膚から吸収されるようにする。
【００２３】
図６及び図７を参照する。図６及び図７に示すように、輸送加圧管２の周面のベース２３上に固定座３を結合固定する方式には、積層してから係合方式で一体結合してもよい。固定座３は、液体容器１２を速やかに結合又は分離する、ロック・アンロック可能な１組の可動フック３１及び位置決め部３２を有する。本実施形態の可動フック３１は、Ｙ字状の半円形状係合部材である。位置決め部３２は、対応した半円形状の着座部材である。図６は、固定座３が開いた状態であり、可動フック３１を取り外した状態を示す。図７は、固定座３が閉じた状態であり、可動フック３１が位置決め部３２に係合され、一体結合される。
【００２４】
図２及び図３を参照する。図２及び図３に示すように、気体貯蔵チャンバ４は、一端に輸送加圧管２の気体入力口２１が接続され、他端に吸気口１３が接続される。吸気口１３には、外部の気圧供給源が接続され、気体貯蔵チャンバ４に貯蔵された気体を安定的に出力し、気圧供給源からチャネルを介して送られる遅延と気圧の損失とを減らし、気圧を維持して効果的に出力する。
【００２５】
回路制御ユニット５は、気体貯蔵チャンバ４の周面に設置されるとともに、接続線１４と電気的に接続されて外部電力供給源に接続される。回路制御ユニット５は、電磁弁スイッチ５１、制御弁５２及びばねコネクタ２４２を有する。制御弁５２は、輸送加圧管２と気体貯蔵チャンバ４との間に位置するとともに、電磁弁スイッチ５１により制御され、気体貯蔵チャンバ４内の気体放出を制御し、噴出される気体体積を回路制御ユニット５により調整する。ばねコネクタ２４２は、導通回路基板２４１と接触又は分離させる。
【００２６】
この構成により、実際の操作では接続線１４を介して外部電源を導通すると、導入装置は、回路制御ユニット５をオンすると外部の気体供給源が連結管路を介して吸気口１３から入力され、同時に電磁弁スイッチ５１をオンして制御弁５２を開くと、予め気体貯蔵チャンバ４に貯蔵されていた気体が同時にリリースされ、これにより出力する気圧を安定させるが、このときに振動片２３１の超音波高速振動作用により、液体容器内に入力した液体が霧化されてから輸送加圧管２内へ送られ、気体貯蔵チャンバ４から出力された安定した気体を加圧して噴射する。
【００２７】
液体容器１２の使用が終了するか、別の液体容器１２と交換する際、輸送加圧管２とともに液体容器１２を取り外して気体貯蔵チャンバ４から分離するが、安全面及び衛生面を考慮し、輸送加圧管２及び液体容器１２を使い捨て方式にして全体を交換することができるようにすると、作業を簡便かつ短時間に行うことができる。
【００２８】
輸送加圧管２を取り外すと、振動片２３１が駆動させる導通回路基板２４１により、回路制御ユニット５と電気的に接続されたばねコネクタ２４２と非導通状態となり、１組の輸送加圧管２及び液体容器１２を新しい物に交換すると、気体貯蔵チャンバ４と嵌合されて位置決めされ、導通回路基板２４１がばねコネクタ２４２により接触されると、再び回路制御ユニット５と導通状態となるため、交換部材を取り外すことを省略することができるとともに、配線を接続する煩雑な作業が必要無い。
【００２９】
本考案の一実施形態に係る定量霧化加圧装置を導入装置１内に組み合わして実際に実施する際、吸気口１３に接続する外部気圧供給源のタイプには、必要に応じて移動式又は固定式を選択してもよい。固定式とは、従来と同様に大型の気体ボンベであり、大型で重いため移動が困難であるため、弁を利用して管路を介して吸気口１３へ接続し、導入装置１へ気圧を供給してもよい。
【００３０】
図８を参照する。図８に示すように、本考案の一実施形態に係る定量霧化加圧装置の移動式気圧供給源６は、腕ベルト６１、気体案内ボトル固定座６２、外付け気体供給源制御装置６３、空気貯蔵ボトル６４及び圧力調整弁６５を含む。圧力調整弁６５は排気口６５１を有する。実際に使用する際、管路を介して排気口６５１に接続してから導入装置１の一端の吸気口１３まで延びるとともに、腕ベルト６１により腕へ巻き付けることができるため導入装置１を容易に操作することができる。
【００３１】
上述したことから分かるように、本考案の定量霧化加圧装置は、以下（１）〜（３）の長所を有する。
（１）薬容器と霧化装置とを組み合わせ、速やかに交換することができるとともに、異なる薬物が同一の輸送経路を使用することにより交差汚染が発生することを防ぎ、安全かつ衛生である。
（２）霧化装置上に接触電源構造を設けることにより、連結線路を簡素化し、霧化装置の交換時間を短縮することができる。
（３）空気貯蔵チャンバを増設し、電磁弁スイッチにより制御し、気体入力供給源の気体を予め貯蔵しておき、安定的に加圧された気体圧力を出力し、気体が管道で送られる際に生じる遅延と気圧の損失とを減らすことができる。
【００３２】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３３】
１  導入装置
２  輸送加圧管
３  固定座
４  気体貯蔵チャンバ
５  回路制御ユニット
６  移動式気圧供給源
１０  ハウジング
１１  着脱可能前蓋
１２  液体容器
１３  吸気口
１４  接続線
２１  気体入力口
２２  薬液出力口
２３  ベース
２４  係合部材
３１  可動フック
３２  位置決め部
５１  電磁弁スイッチ
５２  制御弁
６１  腕ベルト
６２  気体案内ボトル固定座
６３  外付け気体供給源制御装置
６４  空気貯蔵ボトル
６５  圧力調整弁
２３１  振動片
２３２  原料投入口
２４１  導通回路基板
２４２  ばねコネクタ
６５１  排気口
【図１】
0003208232.tif 000003
【図２】
0003208232.tif 000004
【図３】
0003208232.tif 000005
【図４】
0003208232.tif 000006
【図５】
0003208232.tif 000007
【図６】
0003208232.tif 000008
【図７】
0003208232.tif 000009
【図８】
0003208232.tif 000010